(57)【特許請求の範囲】
【請求項１】
プラント機器を制御する制御装置と、前記制御装置とネットワークによって結ばれ、前記制御装置に内蔵される制御用コントローラの保守を行う保守ツールを具備する火力発電プラント保守システムの火力発電プラント保守サービス提供方法において、
前記保守ツールが具備する機能と同等の機能を実行するリモート保守装置を備え、前記リモート保守装置は、
前記保守ツールから通信回線を介してプラントデータ及び前記制御用コントローラの状態に関するデータを受け取り、
前記通信回線と前記保守ツールと前記ネットワークを介して前記制御用コントローラ内の制御パラメータまたは制御回路を直接変更し、
前記制御パラメータまたは前記制御回路の変更履歴が記載された報告書のデータを前記保守ツールに前記通信回線を介して送信する保守サービスを提供することを特徴とする火力発電プラント保守サービス提供方法。
【発明の詳細な説明】
【０００１】
【発明の属する技術分野】
本発明は、火力発電プラント保守サービス提供方法に係わり、特に、定期点検時や異常発生時の火力発電プラント保守サービス提供方法に関する。
【０００２】
【従来の技術】
火力発電所において、定期点検時や運転中に何らかの異常が発生した場合あるいはユニットの起動・停止のように特に監視が必要な場合は、制御系の調整や異常原因の調査・対策及び報告書作成といった作業が必要になる。従来、このような保守サービスについては、顧客（発電所）から発注を受けたメーカの技術員が発電所に出張して現地で業務を行っていた。
【０００３】
【発明が解決しようとする課題】
上記従来技術では、運転中に異常が発生した場合などでも、メーカの技術員が発電所に到着するまでに時間がかかるため、原因の調査及び障害復旧を迅速に行うことが困難である、という問題があった。また、技術員が現地で作業をすることにより、出張費等の費用がかかり、高コストとなる、という問題もあった。
【０００４】
本発明の課題は、火力発電所における定期点検時や異常発生時に迅速であるのみならず、低コストで適切な保守サービスを提供するのに好適な火力発電プラント保守サービス提供方法を提供することにある。
【０００５】
【課題を解決するための手段】
上記課題を解決するために、保守ツールが具備する機能と同等の機能を実行するリモート保守装置は、保守ツールから通信回線を介してプラントデータ及び制御用コントローラの状態に関するデータを受け取り、通信回線と保守ツールとネットワークを介して制御用コントローラ内の制御パラメータまたは制御回路を直接変更し、制御パラメータまたは制御回路の変更履歴が記載された報告書のデータを保守ツールに通信回線を介して送信する保守サービスを提供する。
【０００６】
【発明の実施の形態】
以下、本発明の実施形態を図面により説明する。
図１は、本発明の一実施形態における火力発電プラント保守サービス提供方法を説明するためのシステムの全体構成を示す。発電所側は、制御用コントローラ１１やプロセス信号入出力装置（伝送装置）１２を内蔵した制御装置１と、圧力や温度等のプロセス量を電気信号として制御装置１にＰＩ／Ｏ装置１３を介して送るための発信器４や熱電対５、制御装置１からの制御信号に基づいて圧力や温度等のプロセス量を所定の値に制御するためのバルブやコントロールドライブ等の操作端６、制御装置１の保守やプロセス信号等のデータ収録を行う保守ツール２とからなり、制御装置１と保守ツール２はユニットネットワーク７により互いに接続されている。保守ツール２は、中央処理装置２１、通信装置２２、モニタ２３、伝送装置２４からなる。また、図１には示していないが、ユニットネットワーク７には制御装置１や保守ツール２の他にも実際には制御用計算機や運転員の操作端末であるＣＲＴオペレーション装置等も接続される。
保守サービス提供者側には、発電所側の保守ツール２から送られてくるデータの解析や編集及び各種保守サービスのための機能を備えたリモート保守装置３が設置されている。発電所側の保守ツール２と保守サービス提供者側のリモート保守装置３は公衆回線８で接続されている。リモート保守装置３は、中央処理装置３１、通信装置３２、モニタ３３からなる。なお、保守ツール２とリモート保守装置３を結ぶ回線は、公衆回線に限らず特に設けられた専用回線であってもよい。
【０００７】
次に、各装置の機能と動作を説明する。
制御装置１は、図１に示すように、制御用コントローラ１１と伝送装置１２とＰＩ／Ｏ装置１３から構成され、ＰＩ／Ｏ装置１３を介して発信器４や熱電対５から入力される圧力や温度などのプロセス信号や、伝送装置１２とユニットネットワーク７を介して入力される他の制御装置からの信号を制御用コントローラ１１内のメモリに格納されているプログラムに基づいて制御演算を行い、制御演算結果をＰＩ／Ｏ装置１３を介して操作端６に出力して機器を制御したり、伝送装置１２とユニットネットワーク７を介して他の制御装置や保守ツール２に出力する。
【０００８】
保守ツール２は、図１に示すように、中央処理装置２１と通信装置２２とモニタ２３と伝送装置２４から構成される。
保守ツール２の機能と動作を図２に示す。保守ツール２では、キーボードあるいはマウス等の入力装置（図示せず）により制御演算ロジック図を作成・編集し、作成した図面データをコンパイルしてオブジェクトデータを生成し、そのオブジェクトデータを伝送装置２４及びユニットネットワーク７を介して制御装置１内の制御用コントローラ１１のメモリに格納する。また、キーボードあるいはマウス等の入力装置によりパラメータ変更指示を入力し、制御用コントローラ１１内のメモリに格納されている制御パラメータをオンラインで伝送装置２４及びユニットネットワーク７を介して書き換えるパラメータオンラインチューニング機能を持つ。さらに、制御装置１から出力されている信号をユニットネットワーク７及び伝送装置２４を介して入力し、中央処理装置２１に蓄えておき、キーボードあるいはマウス等の入力装置からの指示に基づき数値やトレンドグラフをモニタ２３に画面表示させることができるデータ収録機能を持つ。その他、制御用コントローラ１１に何らかの障害が発生した場合に、制御用コントローラ１１内に保存されているエラーログ情報をユニットネットワーク７及び伝送装置２４を介して採取・表示するエラーログ採取機能を持つ。なお、通信装置２２は公衆回線８を介しての外部との通信を制御する。
【０００９】
リモート保守装置３は、図１に示すように、中央処理装置３１と通信装置３２とモニタ３３から構成される。リモート保守装置３は、保守ツール２と同等の機能を備えており、保守サービス提供者は、発電所から離れた場所でも公衆回線８を介してリモートで発電所の保守ツール２の機能をリモート保守装置３によって実行することができる。それに加えて、保守サービスに必要な追加機能を持っている。
リモート保守装置３の機能と動作を図３に示す。リモート保守装置３では、公衆回線８及び通信装置３２を介して保守ツール２から保守ツール２が制御装置１から入力したデータ（プロセス信号データ、制御信号データ、制御用コントローラエラーログ、制御用コントローラオブジェクトデータ、制御パラメータ等）を通信により取得し、記憶装置に保存する。そして、保守ツール２から取得し、記憶装置に保存したデータを提供しようとする保守サービスの内容に応じて編集したり、加工したりする。保守サービス提供者は、編集したり、加工したデータを解析してリモート保守装置３により制御パラメータ変更や障害復旧作業等の保守作業指示データを作成し、通信装置３２及び公衆回線８を介して保守ツール２に送信したり、報告書を作成して報告書データを通信装置３２及び公衆回線８を介して保守ツール２に送信したりするなどの保守サービスを提供する。
【００１０】
次に、本実施形態による火力発電プラント保守サービス提供方法を説明する。
まず、第一の保守サービスの具体例として「定検サービス」について、そのサービス提供方法を説明する。
火力発電所においては、法令で定められた間隔で定期点検（定検）を行わなければならない。通常、定検時においては機器の点検や更新の他に試運転が行われる。試運転で実施される各種試験として、静特性試験（負荷一定の状態で各種プロセス量を記録・確認し、データを基に制御系を調整する試験）、動特性試験（制御量の変化が各種プロセス量に与える影響を記録・確認し、データを基に制御系を調整する試験）、負荷変化試験（負荷を変化させた時の各種プロセス量を記録・確認し、データを基に制御系を調整する試験）等がある。「定検サービス」は、これらの試験データをまとめ、データ解析及び試験報告書作成をリモートで保守サービス提供者が行うものである。
図４に、「定検サービス」の方法をフローを用いて示す。発電所において各種試験が行われ、その際のプロセス量データ（圧力や温度等）や制御信号データ（操作端指令値等）は保守ツール２にて採取される。保守サービス提供者は採取されたデータを公衆回線８を介してリモート保守装置３に受信し、リモート保守装置３の記憶装置に保存する。保存したデータをリモート保守装置３において編集及び解析する。以下、図４のフローの具体的な内容を図５〜図１１を用いながら説明する。
図５は、リモート保守装置３における静特性試験データ編集及び解析の操作画面例である。定検サービスメニュー画面９で「静特性試験まとめ」を選択し、静特性試験まとめメニュー画面９１で「データ編集・解析」を選択すると、静特性データ編集・解析画面９２が表示される。この画面で、試験データのトレンドグラフを表示させ、ある負荷における燃料量、給水量、空気量等のデータをまとめる作業を行う。
図６は、リモート保守装置３における動特性試験データ編集及び解析の操作画面例である。定検サービスメニュー画面９で「動特性試験まとめ」を選択し、動特性試験まとめメニュー画面９３で「データ編集・解析」を選択すると、動特性データ編集・解析画面９４が表示される。この画面で、試験データのトレンドグラフを表示させ、例えば燃料を一定量操作した場合の主蒸気温度や主蒸気圧力の変動特性等のデータをまとめる作業を行う。
図７は、リモート保守装置３における負荷変化試験データ編集及び解析の操作画面例である。定検サービスメニュー画面９で「負荷変化試験まとめ」を選択し、負荷変化試験まとめメニュー画面９５で「データ編集・解析」を選択すると、負荷変化試験データ編集・解析画面９６が表示される。この画面で、試験データのトレンドグラフを表示させ、ある負荷変化試験時の主蒸気温度や主蒸気圧力の変動等のデータをまとめる作業を行う。
以上のようにして、保守サービス提供者が試験データを解析した結果、制御パラメータの変更が必要と評価された場合は、リモート保守装置３において制御パラメータ変更指示データを作成し、公衆回線８を介して保守ツール２に送信する。
図８は、リモート保守装置３における制御パラメータ変更指示データ作成の操作画面例である。静特性試験まとめメニュー画面９１または動特性試験まとめメニュー画面９３または負荷変化試験まとめメニュー画面９５で「パラメータ変更指示作成」を選択すると、パラメータ変更指示作成画面１０が表示される。この画面で、パラメータの変更が必要な演算マクロとそのパラメータの現在値（保守ツール２より受信した値が表示される。）と変更後の数値を入力し、送信操作を行うと、制御パラメータ変更指示データは公衆回線８を介して保守ツール２に送信される。保守ツール２では、制御パラメータ変更指示データを受信すると、モニタ２３の画面に制御パラメータ変更指示データの内容に従って制御パラメータ変更ガイダンスが表示され、発電所では表示されたガイダンスに従って調整員が保守ツール２のパラメータオンラインチューニング機能を用いて制御用コントローラ１１内のメモリに格納されている制御パラメータをオンラインで伝送装置２４及びユニットネットワーク７を介して書き換える。または、切替スイッチ等により直接チューニングが許可状態となっていれば、保守ツール２が自動的に制御パラメータ変更指示データの内容に従って制御パラメータをオンラインで書き換える。また、保守サービス提供者は、試験データの解析を行った後、リモート保守装置３においてデータのまとめ表や制御パラメータ変更履歴を記した試験報告書を作成し、公衆回線８を介して保守ツール２に送信する。
図９は、リモート保守装置３における静特性試験報告書作成の操作画面例である。定検サービスメニュー画面９で「静特性試験まとめ」を選択し、静特性試験まとめメニュー画面９１で「報告書作成」を選択すると、静特性試験報告書作成画面９７が表示される。この画面で保守サービス提供者は、静特性試験データ編集・解析によってまとめた、ある負荷における燃料量、給水量、空気量等のデータや制御パラメータの変更来歴を用意された様式の報告書にまとめる作業を行う。
図１０は、リモート保守装置３における動特性試験報告書作成の操作画面例である。定検サービスメニュー画面９で「動特性試験まとめ」を選択し、動特性試験まとめメニュー画面９３で「報告書作成」を選択すると、動特性試験報告書作成画面９８が表示される。この画面で保守サービス提供者は、動特性試験データ編集・解析によってまとめた、例えば燃料を一定量操作した場合の主蒸気温度や主蒸気圧力の変動特性等のデータや制御パラメータの変更来歴を用意された様式の報告書にまとめる作業を行う。
図１１は、リモート保守装置３における負荷変化試験報告書作成の操作画面例である。定検サービスメニュー画面９で「負荷変化試験まとめ」を選択し、負荷変化試験まとめメニュー画面９５で「報告書作成」を選択すると、負荷変化試験報告書作成画面９９が表示される。この画面で保守サービス提供者は、負荷変化試験データ編集・解析によってまとめた、ある負荷変化試験時の主蒸気温度や主蒸気圧力の変動等のデータや制御パラメータの変更来歴を、用意された様式の報告書にまとめる作業を行う。保守ツール２では、受信した報告書データの印字や保存を行う。
【００１１】
次に、第二の保守サービス具体例として「コントローラ異常時サービス」について、そのサービス提供方法を説明する。
何らかの原因で制御装置１に障害が発生した場合、発電プラントの運転が困難となるため、速やかに障害発生原因の特定と復旧を行う必要がある。特に制御装置１を構成する制御用コントローラ１１やＰＩ／Ｏ装置１３等は精密な電子部品を使用しており、なおかつ制御用コントローラ１１のメモリに格納されている制御演算プログラムは複雑なものであるため、障害が発生した場合は専門の技術者による調査が必要となる。「コントローラ異常時サービス」は、制御装置１に障害が発生した場合に、その原因特定と復旧方法の指示をリモートで保守サービス提供者が行うものである。
図１２に、「コントローラ異常時サービス」の方法をフローを用いて示す。制御用コントローラ１１にエラーが発生した場合、警報等により発電所運転員は制御装置１に異常が発生したことを知る。そして、保守ツール２のエラーログ採取機能を使って制御用コントローラ１１内に保存されているエラーログ情報をユニットネットワーク７及び伝送装置２４を介して採取する。または、制御用コントローラ１１にエラーが発生した場合、保守ツール２から自動的に通信装置２２と公衆回線８を介して制御用コントローラ１１においてエラーが発生したという信号をリモート保守装置３に送信する。リモート保守装置３は、エラー発生信号を受信すると、エラーログ採取要求信号を通信装置３２と公衆回線８を介して保守ツール２に送信する。保守ツール２は、エラーログ採取要求信号を受信すると、エラーログ採取機能により制御用コントローラ１１内に保存されているエラーログ情報をユニットネットワーク７及び伝送装置２４を介して採取する。上記いずれかによって採取されたエラーログ情報は、保守ツール２から通信装置２２と公衆回線８を介してリモート保守装置３に送信される。保守サービス提供者は、リモート保守装置３によって受信したエラーログ情報を調査し、エラーの原因はハードウエアの故障によるものか、あるいは、制御演算プログラムに問題があるのかといった分析を行う。以下、図１２のフローの具体的な内容を図１３〜図１４を用いながら説明する。
図１３は、リモート保守装置３におけるエラーログ情報調査・分析の操作画面例である。コントローラ異常時サービスメニュー画面１１で「エラーログ確認」を選択すると、エラーログ確認画面１１１が表示される。保守サービス提供者は、ここに表示される情報によりエラー発生の原因や発生部位の詳細を知ることができる。エラー原因を特定した後に、保守サービス提供者は、リモート保守装置３にて復旧作業のガイダンスを作成し、復旧作業ガイダンスデータを公衆回線８を介して保守ツール２に送信する。
図１４は、リモート保守装置３における復旧作業ガイダンスデータ作成の操作画面例である。コントローラ異常時サービスメニュー画面１１で「復旧ガイダンス作成」を選択すると、復旧ガイダンス作成画面１１２が表示される。保守サービス提供者はここで復旧の手順書を作成し、送信操作によって復旧作業ガイダンスデータは公衆回線８を介して保守ツール２に送信される。保守ツール２では、復旧作業ガイダンスデータを受信すると、モニタ２３の画面に復旧作業ガイダンスデータの内容に従って復旧ガイダンス情報が表示され、発電所では表示されたガイダンスに従って作業員が復旧作業を実施する。
【００１２】
次に、第三の保守サービス具体例として「制御不調時サービス」について、そのサービス提供方法を説明する。
発電プラントでは、運転中に機械的な要因や適切でない制御パラメータなどが原因で制御が不調となり、例えば蒸気の圧力や温度が許容範囲を逸脱して警報が発生したり、自動制御継続が困難となるほどプラント状態が不安定になる場合がある。そのような場合には、原因を調査して機器を調整したり、制御装置１の制御パラメータを調整する必要がある。「制御不調時サービス」は、制御が不調になった場合に、その原因調査と改善のための調整をリモートで保守サービス提供者が行うものである。
図１５に、「制御不調時サービス」の方法をフローを用いて示す。発電プラント運転中に例えば蒸気の圧力や温度が許容範囲を逸脱して警報が発生した場合、保守ツール２から警報の内容とその際のプロセス量データ（圧力や温度等）や制御信号データ（操作端指令値等）を公衆回線８を介してリモート保守装置３に送信する。あるいは、保守ツール２において運転員が制御不調調査依頼を入力し、その制御不調調査依頼とデータを公衆回線８を介してリモート保守装置３に送信する。以下、図１５のフローの具体的な内容を図１６〜図１８を用いながら説明する。
図１６は、保守ツール２における制御不調調査依頼作成の操作画面例である。リモート保守依頼メニュー画面１２で「制御不調調査依頼」を選択すると、制御不調調査依頼画面１２１が表示される。発電所運転員は、制御不調内容や不調発生日時等の情報を入力し、送信操作を行うと、制御不調調査依頼データは公衆回線８を介してリモート保守装置３に送信される。保守サービス提供者は、受信したデータと警報内容あるいは制御不調調査依頼内容をリモート保守装置３の記憶装置に保存し、保存したデータをリモート保守装置３において解析する。
図１７は、リモート保守装置３における制御不調時データ解析の操作画面例である。制御不調時サービスメニュー画面１３で「データ調査・解析」を選択すると、制御不調時データ調査・解析画面１３１が表示される。この画面で、保守サービス提供者は、保守ツール２から受信した制御不調時データのトレンドグラフ、制御不調内容、警報内容を表示させ、制御不調の原因を解析し、対策の検討を行う。保守サービス提供者は、データを解析した後、制御パラメータの変更あるいは制御回路の変更及び制御不調原因をまとめた制御不調調査報告書をリモート保守装置３において作成し、公衆回線８を介して保守ツール２に送信する。
図１８は、リモート保守装置３における制御不調調査報告書作成の操作画面例である。制御不調時サービスメニュー画面１３で「報告書作成」を選択すると、制御不調調査報告書作成画面１３２が表示される。この画面で、保守サービス提供者は、制御不調原因とその対策、制御不調を改善するための制御パラメータの変更あるいは制御回路の変更をまとめた報告書の作成を行う。保守ツール２では、制御不調調査報告書を受信すると、モニタ２３の画面に制御不調調査報告書に記載されている制御パラメータの変更あるいは制御回路の変更内容に従って制御パラメータ変更あるいは制御回路変更ガイダンスが表示され、発電所では表示されたガイダンスに従って調整員が保守ツール２のパラメータオンラインチューニング機能あるいは制御演算ロジック編集機能を用いて制御用コントローラ１１内のメモリに格納されているオブジェクトデータを伝送装置２４及びユニットネットワーク７を介して書き換える。または、切替スイッチ等により直接チューニングが許可状態となっていれば、保守ツール２が自動的に制御パラメータの変更あるいは制御回路の変更内容に従ってオブジェクトデータをオンラインで書き換える。また、保守ツール２では、受信した制御不調調査報告書データの印字や保存を行う。
【００１３】
次に、第四の保守サービス具体例として「通常時サービス」について、そのサービス提供方法を説明する。
発電プラントのユニット起動・停止時は、様々な機器の起動・停止やプラント状態の変化が重なるため、定常運転時よりも特に注意して運転状態を監視しなければならない。また、近年の火力発電プラントの主流である石炭焚きプラントの場合は、燃料である石炭の炭種を変えると、石炭の成分や性状により燃焼状態が大きく変わるため、プラント運転に様々な影響が生じる。その他にも、プラントの経年変化も運転に影響を及ぼす要因の一つである。これらは、異常や故障とは言えないけれども、状況によっては制御系の調整が必要となるものである。「通常時サービス」は、ユニット起動・停止、炭種切替、経年変化といった特に運転状態の監視が必要な場合に、その監視と評価をリモートで保守サービス提供者が行うものである。
図１９に、「通常時サービス」の方法をフローを用いて示す。ユニット起動・停止、炭種切替および経年変化により保守サービス提供者によるプラントの運転監視と制御系の評価が必要であると発電所の運転員が判断した場合は、保守ツール２において運転員が監視調査依頼を入力する。以下、図１９のフローの具体的な内容を図２０〜図２２を用いながら説明する。
図２０は、保守ツール２における監視調査依頼作成の操作画面例である。リモート保守依頼メニュー画面１２で「監視調査依頼」を選択すると、監視調査依頼画面１２２が表示される。発電所運転員は監視調査内容や監視調査期間等の情報を入力し、送信操作を行うと、監視調査依頼データは公衆回線８を介してリモート保守装置３に送信される。保守ツール２は、監視調査依頼内容にしたがってプロセス量データ（圧力や温度等）や制御信号データ（操作端指令値等）を採取し、そのデータを公衆回線８を介してリモート保守装置３に送信する。保守サービス提供者は、受信したデータと監視調査依頼内容をリモート保守装置３の記憶装置に保存し、保存したデータをリモート保守装置３において解析する。
図２１は、リモート保守装置３における通常時データ解析の操作画面例である。通常時サービスメニュー画面１４で「データ調査・解析」を選択すると、通常時データ調査・解析画面１４１が表示される。この画面で、保守サービス提供者は、保守ツール２から受信したデータのトレンドグラフ、監視調査内容等を表示させ、データの評価を行い、制御パラメータの変更や制御回路の変更が必要かどうかを検討する。保守サービス提供者は、データを解析した後、データの評価と必要であれば、制御パラメータの変更あるいは制御回路の変更及びその根拠をまとめた監視調査報告書をリモート保守装置３において作成し、公衆回線８を介して保守ツール２に送信する。
図２２は、リモート保守装置３における監視調査報告書作成の操作画面例である。通常時サービスメニュー画面１４で「報告書作成」を選択すると、監視調査報告書作成画面１４２が表示される。この画面で、保守サービス提供者は、監視調査内容とその評価及び必要と判断された場合の制御パラメータの変更あるいは制御回路の変更をまとめた報告書の作成を行う。保守ツール２では、監視調査報告書を受信すると、モニタ２３の画面に監視調査報告書に記載されている制御パラメータの変更あるいは制御回路の変更内容に従って制御パラメータ変更あるいは制御回路変更ガイダンスが表示され、発電所では表示されたガイダンスに従って調整員が保守ツール２のパラメータオンラインチューニング機能あるいは制御演算ロジック編集機能を用いて制御用コントローラ１１内のメモリに格納されているオブジェクトデータを伝送装置２４及びユニットネットワーク７を介して書き換える。または、切替スイッチ等により直接チューニングが許可状態となっていれば、保守ツール２が自動的に制御パラメータの変更あるいは制御回路の変更内容に従ってオブジェクトデータをオンラインで書き換える。また、保守ツール２では、受信した監視調査報告書データの印字や保存を行う。
【００１４】
以上のように、本実施形態では、保守サービス提供者が発電所の保守ツールと通信回線で結ばれ、保守ツールが具備する機能と同等の機能を実行するリモート保守装置を用いることによって、リモートで定期点検時の試験データまとめや評価あるいは異常発生時の調査といった保守サービスを提供することができるため、定期点検時や異常発生時に迅速であるのみならず、低コストで適切な保守サービスを提供することができ、保守サービスの質が向上する。
【００１５】
【発明の効果】
以上説明したように、本発明によれば、保守ツールが具備する機能と同等の機能を実行するリモート保守装置を備え、かつ、保守サービス提供者が発電所の保守ツールと通信回線で結ばれた該リモート保守装置を用いることによって、リモートで定期点検時の試験データまとめや評価あるいは異常発生時の調査といった保守サービスを提供することができるため、定期点検時や異常発生時に迅速であるのみならず、低コストで適切な保守サービスを提供することができ、保守サービスの質の向上を図ることができる。
【図面の簡単な説明】
【図１】本発明の一実施形態における火力発電プラント保守サービス提供方法を説明するためのシステムの全体構成図
【図２】本発明の保守ツールの機能図
【図３】本発明のリモート保守装置の機能図
【図４】本発明の定検サービスのフロー図
【図５】本発明の静特性試験データ編集及び解析の操作画面例
【図６】本発明の動特性試験データ編集及び解析の操作画面例
【図７】本発明の負荷変化試験データ編集及び解析の操作画面例
【図８】本発明の制御パラメータ変更指示データ作成の操作画面例
【図９】本発明の静特性試験報告書作成の操作画面例
【図１０】本発明の動特性試験報告書作成の操作画面例
【図１１】本発明の負荷変化試験報告書作成の操作画面例
【図１２】本発明のコントローラ異常時サービスのフロー図
【図１３】本発明のエラーログ情報調査・分析の操作画面例
【図１４】本発明の復旧作業ガイダンスデータ作成の操作画面例
【図１５】本発明の制御不調時サービスのフロー図
【図１６】本発明の制御不調調査依頼作成の操作画面例
【図１７】本発明の制御不調時データ解析の操作画面例
【図１８】本発明の制御不調調査報告書作成の操作画面例
【図１９】本発明の通常時サービスのフロー図
【図２０】本発明の監視調査依頼作成の操作画面例
【図２１】本発明の通常時データ解析の操作画面例
【図２２】本発明の監視調査報告書作成の操作画面例
【符号の説明】
１…制御装置、２…保守ツール、３…リモート保守装置、４…発信器、５…熱電対、６…操作端、７…ユニットネットワーク、８…公衆回線、１１…制御用コントローラ、１２…伝送装置、１３…ＰＩ／Ｏ装置、２１…中央処理装置、２２…通信装置、２３…モニタ、２４…伝送装置、３１…中央処理装置、３２…通信装置、３３…モニタ
【図１】
0003689767.tif 000002
【図２】
0003689767.tif 000003
【図３】
0003689767.tif 000004
【図４】
0003689767.tif 000005
【図５】
0003689767.tif 000006
【図６】
0003689767.tif 000007
【図７】
0003689767.tif 000008
【図８】
0003689767.tif 000009
【図９】
0003689767.tif 000010
【図１０】
0003689767.tif 000011
【図１１】
0003689767.tif 000012
【図１２】
0003689767.tif 000013
【図１３】
0003689767.tif 000014
【図１４】
0003689767.tif 000015
【図１５】
0003689767.tif 000016
【図１６】
0003689767.tif 000017
【図１７】
0003689767.tif 000018
【図１８】
0003689767.tif 000019
【図１９】
0003689767.tif 000020
【図２０】
0003689767.tif 000021
【図２１】
0003689767.tif 000022
【図２２】
0003689767.tif 000023